(57)【要約】      （修正有）【課題】電動の横開きカーテンにあって、低雑音、且つ、使用寿命の長い位置制限式横開きカーテンを提供する。【解決手段】横開きカーテンの伝動棒に位置制限装置を増設し、同時に伝動装置上に別に一つの制御装置を設けてある故、伝動装置のスライド台の挟み込むカーテン片が角度横動作制御を行う場合、伝動棒が位置制限装置の制止を受けると、動力源の電流出力に異常が生じる。この時制御装置が電流異常状態発生を探知すると即刻動力源に対して運転停止信号が発せられ、確実にカーテン片の横動作定位がなされ、且つカーテン片の横動作過程において伝動棒の持続的な伝動による雑音発生を防止する他、動力源の使用寿命を延長させる。【選択図】図５
0003142139.tif 000002
【実用新案登録請求の範囲】
【請求項１】
スライドレール、二つの誘導部、複数の連結部、伝動装置、制御装置及び位置制限装置を含み、
該スライドレールは、その内部に内設空間を形成し、且つ該スライドレールには通路を設け、該通路によって内設空間と外部を相互に繋げ、
該二つの誘導部は、相隣設置し且つ内設空間内をスライド移動し、各誘導部上には誘導孔と誘導溝を設け、前記誘導孔の周囲壁には誘導体を突設し、且つ該誘導溝内には翼部を突設し、
該二つの誘導部両側に設けた複数のスライドユニットにおける各スライドユニットには、内設空間内をスライド移動するスライド台と、該スライド台に設けるカーテン片を備え、前記スライド台は並列配置し、また各スライド台は一つの台体と、該台体に軸設し且つ該カーテン片と連動する回転軸と、台体に軸設し且つ該回転軸と相互連結する駆動軸と、該台体に突設する嵌止体を含み、その内の回転軸には複数の歯を突設し、且つ何れか二つの歯の間には歯溝を形成し、該歯溝の一部には制止壁を設け、また、該駆動軸は、中空状の従動部と主動部を相互に嵌設して構成され、前記の従動部の外部周囲縁に渦巻き部を繞設し、且つ該従動部には複数の圧止体を突設し、該主動部上で且つ該圧止体との対応箇所に制止体を設け、
該複数の連結部における各連結部の相反する二つの端の縁上には、それぞれ凸体を突設し、該連結部には誘導部の翼部とスライドユニットの嵌止体をそれぞれ挿設し、
該伝動装置は、内設空間内にそれぞれ設けるネジ棒と伝動棒と、それぞれが該ネジ棒と該伝動棒に相互連結する第一歯車ユニットと第二歯車ユニットと、該第一歯車ユニットと該第二歯車ユニットを動かす作用のある動力源とを含み、その内の該動力源は、外部電源の駆動を受けて回動し、該第一歯車ユニットと該第二歯車ユニットと該ネジ棒と該伝動棒を連動し回動させ、前記のネジ棒は該誘導体により圧止され、該ネジ棒が回動するのと同時に該誘導体は移動し、並びに、該複数の連結部の影響を受けて、各スライド台を同時に連動して位置移動を起こさせ、該伝動棒は該駆動軸に挿設し、且つ同時に該駆動軸を連動して回動させ、該伝動棒が回動するのと同時に制御される該誘導部と該主動部と該回転軸とカーテン片もまた同時に回動し、渦巻き部が制止壁を圧止すると、従動部と主動部は非同時に回動を起こす故、回転軸を回動させることができず、
該制御装置は、動力源に電気接続する駆動回路と、該駆動回路に電気接続する制御器と、該駆動回路と外部電源の間に設ける電流制限回路と、それぞれが電流制限回路と該制御器に電気接続する探知回路を含み、該探知回路が該電流制限回路の出力電流を検測し、並びに出力電流が予定値を超えると制御信号を発信して該制御器を触発、それにより該駆動回路が制御され動力源の運転を停止し、
該位置制限装置は、該伝動棒上に設け、制限された該伝動棒は数回回動後停止し、これにより該電流制限回路の出力電流は増加、該探知回路が該電流制限回路の出力電流の予定値超過を探知すると、即刻制御信号を発信し該制御器を触発し、該制御器の駆動回路により動力源の運転が停止され、カーテン片は設定角度まで横動作して定位することを特徴とする位置制限式横開きカーテン。
【請求項２】
前記位置制限装置は、該伝動棒に挿設する定位体と、該伝動棒に挿設し且つ該定位体と固設するロック体と、該定位体と該ロック体間に設けるスライド体を含み、前記定位体には貫通する開孔を設けて、該伝動棒を挿設し、且つ該定位体は該伝動棒に固設し、同時に該定位体の一端には制御停止部を形成し、且つ、該制御停止部の外に延伸する該定位体外周縁にはネジ山を設け、また、該スライド体には内ネジ山を設けて、該定位体のネジ山と相互に螺合し易くし、これにより該スライド体は該制御停止部と該ロック体の間をスライド移動し、且つ該制御停止部と該ロック体の制止を受けて、該伝動棒の回動には位置制限効果が生じることを特徴とする請求項１記載の位置制限式横開きカーテン。
【請求項３】
前記の位置制限装置は、内設空間内をスライド移動するスライド台と、該スライド台上に設けるカーテン片とを含み、前記のスライド台は、一つの台体と、該台体に軸設し且つ該カーテン片と連動する回転軸と、該台体に軸設し且つ回転軸と相互連結する駆動軸と、該台体に突設する嵌止体を含み、その内の該回転軸には複数の歯を突設、且つ何れか二つの歯の間には一つの歯溝を形成し、該歯溝の一部には該制止壁を設け、また、該駆動軸の外部周囲縁に渦巻き部を繞設して該制止壁を回動圧止し、該駆動軸の回動停止を制限することを特徴とする請求項１記載の位置制限式横開きカーテン。
【考案の詳細な説明】
【技術分野】
【０００１】
本考案は一種の横開きカーテン設計に関するもので、特に一種の低雑音、且つ使用寿命の長い位置制限式横開きカーテンを提供する。
【背景技術】
【０００２】
図１、図２を参照すると、公知の電動横開きカーテン１は、一つのスライドレール１１と、スライドレール１１内に設けスライド移動する一つの誘導部１２と、スライドレール１１内に設けてスライド移動する複数のスライドユニット１３と、誘導部１２とスライドユニット１３を連結する複数の連結部１４（図には一つを表示）と、スライドレール１１に設けた伝動装置１５を含む。その内のスライドレール１１内部には、一つの内設空間１１１を形成し、且つスライドレール１１には一つの通路１１２を設け、通路１１２によってスライドレール１１内部と外界を繋げるのと同時に、通路１１２の両側には突出延伸した一つのサポート壁１１３を形成する。また、誘導部１２は相隣設置し且つ内設空間１１１内をスライド移動する。各誘導部１２上には一つの誘導孔１２１と一つの誘導溝１２２を設け、前述の誘導孔１２１の周囲壁には誘導体１２３を突設し、且つ誘導溝１２２内には翼部１２４を突設する。
【０００３】
また、各スライドユニット１３は、内設空間１１１内をスライド移動するスライド台１３１と、スライド台１３１に設けるカーテン片１３２を備える。その内のスライド台１３１は、並列配置し並びに、各スライド台１３１は一つの台体１３３と、台体１３３に軸設しカーテン片１３２と連動する回転軸１３４と、台体１３３に軸設し回転軸１３４と連結する駆動軸１３５と、台体１３３に突設する嵌止体１３６を含む。また、回転軸１３４には複数の歯１３４１を突設、何れか二つの歯１３４１間には一つの歯溝１３４２を形成し、その歯溝１３４２の一部には制止壁１３４３を設ける。また図３を共に参照すると、駆動軸１３５は、中空状の従動部１３５１と主動部１３５２を相互に嵌設して構成され、前述の従動部１３５１の外部周囲縁に渦巻き部１３５３を繞設し、且つ従動部１３５１には複数の圧止体１３５５を突設し、主動部１３５２上で圧止体１３５５との対応箇所に制止体１３５４を設ける。
【０００４】
図１、図２、図４を参照すると、各連結部１４の相反する二つの端の縁上に、それぞれ凸体１４１を設け、連結部１４には誘導部１２の翼部１２４とスライドユニット１３の嵌止体１３６をそれぞれ挿設する。また、図４を参照すると、伝動装置１５は、内設空間１１１内にそれぞれ設けるネジ棒１５１と伝動棒１５２と、それぞれがネジ棒１５１と伝動棒１５２に相互連結する第一歯車ユニット１５３と第二歯車ユニット１５４と、第一歯車ユニット１５３と第二歯車ユニット１５４を動かす作用のある動力源１５５とを含む。その内の動力源１５５は、外部電源の駆動を受けて回動し、第一歯車ユニット１５３と第二歯車ユニット１５４とネジ棒１５１と伝動棒１５２連動し回動させる。前述のネジ棒１５１は嵌止体１３６によって圧止され、ネジ棒１５１を回動させるのと同時にスライド台１３１を連動して位置移動させる。また伝動棒は駆動軸１３５に挿設する。
【０００５】
参照する図１、図２を使用する場合は、カーテン片１３２の角度横動作または、スライド台１３１のスライド移動等の制御に基づき、完全に動力源１５５を使ってネジ棒１５１と伝動棒１５２をそれぞれ駆動し、動力源１５５によってネジ棒１５１を連動して回動させることを例に挙げると、誘導部１２はネジ棒１５１の誘導を受け、連結部１４によって動かされるスライド台１３１とカーテン片１３２はスライド移動動作を起こす。当然ながら、動力源１５５の駆動により伝動棒１５２が回動すると、伝動棒１５２は駆動軸１３５を回動させ、伝動棒１５２が回動するのと同時に、制御される従動部１３５１と主動部１３５２と回転軸１３４とカーテン片１３２もまた回動する。渦巻き部１３５３が制止壁１３４３を圧止した時、従動部１３５１と主動部１３５２は非同時に回動を起こす故、回転軸１３４を回動させることができず、カーテン片１３２が閉じたり開いたりする状態の横動作角度を完了する。
【０００６】
しかしながら、実際に使用した後に電動横開きカーテン１の不完全点が発見され、それは次に詳述する通りである。
１.伝動棒１５２が駆動軸１３５を回動する場合、渦巻き部１３５３が制止壁１３４３を圧止する時に回転軸１３４を回動できなくするよう制限し、カーテン片１３２に閉じたり開いたりする横動作を行わせているが、回転軸１３４が回動を停止した場合、駆動軸１３５の主動部１３５２の制止体１３５４と従動部１３５１の圧止体１３５５は相互に回動する故、駆動軸１３５が空回りし且つ駆動軸１３５の空回りと同時に、主動部１３５２と従動部１３５１間に音が発生し、多数のスライド台１３１にこの音が発生すると音が集まって雑音となる為、改善が非常に求められている。
２.続いて、動力源１５５には如何なる特殊設計もなされていないことに鑑み、一旦スライド台１３１が定位するまでスライド移動するか、回転軸１３４が回動定位すると、スイッチの切り換えがない場合は、動力源１５５は続けて動いている為、伝達されるねじり力が徐々に高まることにより、動力源１５５負荷が増大し、動力源１５５が故障し易くなり、甚だしきに至っては使用寿命に影響することになる。
【考案の開示】
【考案が解決しようとする課題】
【０００７】
よって、本考案の目的は、位置制限式横開きカーテンを提供することにあり、それは雑音低下と使用寿命向上等の効果を持つ。
【０００８】
そこで、本考案の位置制限式横開きカーテンは主に、一つのスライドレールと一つの誘導部と複数のスライドユニットと複数の連結部と一つの伝動装置と一つの制御装置と一つの位置制限装置を含む。その内の位置制限装置は、横開きカーテンの伝動棒上に増設し、制御装置は伝動装置に設置する故、伝動装置のスライド台が挟み込むカーテン片が角度横動作制御を行う場合、伝動棒が位置制限装置の制止を受けると動力源の電流出力に異常を来たす。この時、制御装置が電流異常状態発生を探知すると、即刻動力源に対して運転停止の信号が発信されて、カーテン片の横動作定位が確保され、且つカーテン片の横動作過程において伝動棒の持続的な伝動による雑音発生を防止し、並びに動力源の使用寿命を向上させる。
【課題を解決するための手段】
【０００９】
請求項１の考案は、スライドレール、二つの誘導部、複数の連結部、伝動装置、制御装置及び位置制限装置を含み、
該スライドレールは、その内部に内設空間を形成し、且つ該スライドレールには通路を設け、該通路によって内設空間と外部を相互に繋げ、
該二つの誘導部は、相隣設置し且つ内設空間内をスライド移動し、各誘導部上には誘導孔と誘導溝を設け、前記誘導孔の周囲壁には誘導体を突設し、且つ該誘導溝内には翼部を突設し、
該二つの誘導部両側に設けた複数のスライドユニットにおける各スライドユニットには、内設空間内をスライド移動するスライド台と、該スライド台に設けるカーテン片を備え、前記スライド台は並列配置し、また各スライド台は一つの台体と、該台体に軸設し且つ該カーテン片と連動する回転軸と、台体に軸設し且つ該回転軸と相互連結する駆動軸と、該台体に突設する嵌止体を含み、その内の回転軸には複数の歯を突設し、且つ何れか二つの歯の間には歯溝を形成し、該歯溝の一部には制止壁を設け、また、該駆動軸は、中空状の従動部と主動部を相互に嵌設して構成され、前記の従動部の外部周囲縁に渦巻き部を繞設し、且つ該従動部には複数の圧止体を突設し、該主動部上で且つ該圧止体との対応箇所に制止体を設け、
該複数の連結部における各連結部の相反する二つの端の縁上には、それぞれ凸体を突設し、該連結部には誘導部の翼部とスライドユニットの嵌止体をそれぞれ挿設し、
該伝動装置は、内設空間内にそれぞれ設けるネジ棒と伝動棒と、それぞれが該ネジ棒と該伝動棒に相互連結する第一歯車ユニットと第二歯車ユニットと、該第一歯車ユニットと該第二歯車ユニットを動かす作用のある動力源とを含み、その内の該動力源は、外部電源の駆動を受けて回動し、該第一歯車ユニットと該第二歯車ユニットと該ネジ棒と該伝動棒を連動し回動させ、前記のネジ棒は該誘導体により圧止され、該ネジ棒が回動するのと同時に該誘導体は移動し、並びに、該複数の連結部の影響を受けて、各スライド台を同時に連動して位置移動を起こさせ、該伝動棒は該駆動軸に挿設し、且つ同時に該駆動軸を連動して回動させ、該伝動棒が回動するのと同時に制御される該誘導部と該主動部と該回転軸とカーテン片もまた同時に回動し、渦巻き部が制止壁を圧止すると、従動部と主動部は非同時に回動を起こす故、回転軸を回動させることができず、
該制御装置は、動力源に電気接続する駆動回路と、該駆動回路に電気接続する制御器と、該駆動回路と外部電源の間に設ける電流制限回路と、それぞれが電流制限回路と該制御器に電気接続する探知回路を含み、該探知回路が該電流制限回路の出力電流を検測し、並びに出力電流が予定値を超えると制御信号を発信して該制御器を触発、それにより該駆動回路が制御され動力源の運転を停止し、
該位置制限装置は、該伝動棒上に設け、制限された該伝動棒は数回回動後停止し、これにより該電流制限回路の出力電流は増加、該探知回路が該電流制限回路の出力電流の予定値超過を探知すると、即刻制御信号を発信し該制御器を触発し、該制御器の駆動回路により動力源の運転が停止され、カーテン片は設定角度まで横動作して定位することを特徴とする位置制限式横開きカーテンとしている。
請求項２の考案は、前記位置制限装置は、該伝動棒に挿設する定位体と、該伝動棒に挿設し且つ該定位体と固設するロック体と、該定位体と該ロック体間に設けるスライド体を含み、前記定位体には貫通する開孔を設けて、該伝動棒を挿設し、且つ該定位体は該伝動棒に固設し、同時に該定位体の一端には制御停止部を形成し、且つ、該制御停止部の外に延伸する該定位体外周縁にはネジ山を設け、また、該スライド体には内ネジ山を設けて、該定位体のネジ山と相互に螺合し易くし、これにより該スライド体は該制御停止部と該ロック体の間をスライド移動し、且つ該制御停止部と該ロック体の制止を受けて、該伝動棒の回動には位置制限効果が生じることを特徴とする請求項１記載の位置制限式横開きカーテンとしている。
請求項３の考案は、前記の位置制限装置は、内設空間内をスライド移動するスライド台と、該スライド台上に設けるカーテン片とを含み、前記のスライド台は、一つの台体と、該台体に軸設し且つ該カーテン片と連動する回転軸と、該台体に軸設し且つ回転軸と相互連結する駆動軸と、該台体に突設する嵌止体を含み、その内の該回転軸には複数の歯を突設、且つ何れか二つの歯の間には一つの歯溝を形成し、該歯溝の一部には該制止壁を設け、また、該駆動軸の外部周囲縁に渦巻き部を繞設して該制止壁を回動圧止し、該駆動軸の回動停止を制限することを特徴とする請求項１記載の位置制限式横開きカーテンとしている。
【考案の効果】
【００１０】
本考案の位置制限式横開きカーテンは、雑音低下と使用寿命向上等の効果を持つことを特徴とする。
【考案を実施するための最良の形態】
【００１１】
本考案に関する前述内容及びその他技術内容、特徴、効果は、以下の参考図面を組み合わせた実施例の詳細説明において明確に理解できる。
【００１２】
図５、図６を参照すると、本考案の実施例である位置制限式横開きカーテン３は、一つのスライドレール３１と一つの誘導部３２と複数のスライドユニット３３と複数の連結部３４（図中では一つだけ表示）と一つの伝動装置３５と一つの制御装置３６と一つの位置制限装置３７等の構成要素を含む。その内のスライドレール３１と誘導部３２とスライドユニット３３と連結部３４と伝動装置３５等の構造は全て公知と同様である故ここでは詳述しないものとする。特に、制御装置３６は、動力源３５５に電気接続する駆動回路３６１と、駆動回路３６１に電気接続する制御器３６２と、制御器３６２と外部電源間に設ける電流制限回路３６３と、それぞれが電流制限回路３６３と制御器３６２に電気接続する探知回路３６４を含み、探知回路３６４が電流制限回路３６３の出力電流を検測し、並びに出力電流が予定値を超えると制御信号を発信して制御器３６２を触発、それにより駆動回路３６１が制御され動力源３５５の運転を停止する。
【００１３】
参照する図５、図６、図７によると、位置制限装置３７は伝動棒３５２上に挿設する定位体３７１と、伝動棒３５２に挿設し且つ定位体３７１と固定設置されるロック体３７２と、定位体３７１とロック体３７２の間に設けるスライド体３７３を含む。その内の定位体３７１には貫通する開孔３７４を設けて、伝動棒３５２を挿設し、且つ定位体３７１は伝動棒３５２に固定設置する。また定位体３７１の一端には制御停止部３７５を形成し、且つ、制御停止部３７５外に延伸する定位体３７１外周縁にはネジ山３７６を設ける。また、スライド体３７３には内ネジ山３７７を設けて、定位体３７１のネジ山３７６と相互に螺合し易くし、これによりスライド体３７３は制御停止部３７５とロック体３７２間をスライド移動し、且つ制御停止部３７５とロック体３７２の制止を受ける。伝動棒３５２の回動に対して位置制限効果が起き、伝動棒３５２が制限されて数回回動後停止すると、電流制限回路３６３の出力電流が増加する。探知回路３６４は、電流制限回路３６３出力電流の予定値超過を探知すると、即刻制御信号を発信し制御器３６２を触発、これにより制御器３６２の駆動回路３６１が動力源３５５の運転を停止し、カーテン片３３２は予定角度まで横動作して定位する。
【００１４】
また図８を参照すると、使用時には、動力源３５５が駆動する第一歯車ユニット３５３と第二歯車ユニット３５４を使い、それそれがネジ棒３５１または伝動棒３５２を回動させ、更にカーテン片３３２を回動させるか、スライド台３３１がスライド移動等動作を起こし、またこの動作は使用者の需要に応じて決定する。ネジ棒３５１がスライド台３３１を移動させることについて言えば、動力源３５５が第一歯車ユニット３５３を駆動してネジ棒３５１を回動させた後、誘導体３２３がネジ棒３５１に嵌止することにより、連動される誘導部３２は即刻ネジ棒３５１の誘導を受け、連結部３４によって動かされるスライド台３３１はスライドレール３１上をスライド移動し、二つの誘導部３２が相互に接触すると、ネジ棒３５１の回動動力が阻止される。探知回路３６４が電流制限回路３６３の出力電流が設定値を超過した異常現象を探知すると、探知回路３６４は即刻制御信号を発信して制御器３６２を触発、制御される駆動回路３６１が動力源３５５の運転を停止する。
【００１５】
また、伝動棒３５２がスライド台３３１上のカーテン片３３２を動かして横動作角度を起こした場合、カーテン片３３２の回動時には如何なる嵌止定位もない故、カーテン片３３２が定位まで動いた時であっても、動力源３５５が伝動棒３５２を動かして電流出力異常現象を起こさせることができない。更に、スライド台３３１上の駆動軸３３５は主動部と従動部（未図示）により相互に軸連結され構成されているが、主動部の制止体と従動部の圧止体間（未図示）の嵌止効果は、伝動棒３５２の動力源３５５に異常出力現象を発生させるのに不足する。よって、動力源３５５が伝動棒３５２を回動させる必要があり、伝動棒３５２の回動と同時に駆動軸３３５と定位体３７１を回動させ、駆動軸３３５の持続的な回動がカーテン片３３２に角度横動作を起こさせる。定位体３７１上のスライド体３７３が移動して制御停止部３７５またはロック体３７２の何れか一つに接触すると、即刻伝動棒３５２の回動は阻止されて、伝動棒３５２のねじり力異常が増加し、それに相対して動力源３５５の出力電流も即刻増加する。この時、探知回路３６４は即刻制御信号を発信し制御器３６２を触発すると、制御された駆動回路３６１が動力源３５５の運転を停止する。また、カーテン片３３２は完全に開くか閉じる等の定位状態に達し、カーテン片３３２の横動作を確実に定位し、且つカーテン片３３２の横動作の過程において伝動棒３５２の持続的な伝動による雑音発生を防ぐ他、動力源３５５の使用寿命延長等の効果を高める。
【００１６】
参照とする図９は本考案の実施例２の位置制限式横開きカーテン３を示す。それは一つのスライドレール３１と一つの誘導部３２と複数のスライドユニット３３と複数の連結部３４と一つの伝動装置３５と一つの制御装置３６と一つの位置制限装置３８を含む。その内のスライドレール３１と誘導部３２とスライドユニット３３と連結部３４と伝動装置３５と制御装置３６等の構造は全て実施例１と同様である故ここでは詳述しない。図１０を参照すると、特に、本実施例の位置制限装置３８は内設空間３１１内でスライド移動するスライド台３３１と、スライド台３３１上に設けたカーテン片３３２を含み、前記のスライド台３３１は、一つの台体３３３と、台体３３３上に軸設し且つカーテン片３３２と連動する回転軸３３４と、台体３３３上に軸設し且つ回転軸３３４に相互連結する駆動軸３８１と、スライド台３３１に突設する嵌止体３３６とを含む。その内の回転軸３３４には複数の歯３３４１を突設し且つ何れか二つの歯３３４１間には歯溝３３４２を形成、一部の歯溝３３４２上には制止壁３３４３を設ける。また、駆動軸３８１の外部周囲には渦巻き部３８２を繞設し、制止壁３３４３を回動圧止して駆動軸３８１の回動停止を制限する。
【００１７】
本実施例を作動する場合、ネジ棒３５１がスライド台３３１を連動移動させる制御は実施例１と同様である故、ここでは叙述しない。伝動棒３５２がスライド台３３１上のカーテン片３３２を動かして横動作角度を生じさせる場合は、伝動棒３５２がスライド台３３１上の駆動軸３８１を回動し、駆動軸３８１の渦巻き部３８２が回転軸３３４上の制止壁３３４３を圧止する。この時、駆動軸３８１は既に回転軸３３４を駆動しており、且つカーテン片３３２を動かして開いたり閉じたりする横動作角度を生じさせ、また駆動軸３８１は引き続き伝動棒３５２により動かされることがなく、伝動棒３５２の回動は阻止され、伝動棒３５２のねじり力異常の増大を招き、それに相対して動力源３５５の出力電流もまた増加する。よって図６に示す通り、探知回路３６４は制御信号を発信して制御器３６２を触発し、制御される駆動回路３６１によって動力源３５５の運転が停止される。これにより、カーテン片３３２の横動作過程において伝動棒３５２の持続的な伝動による騒音発生を防止する他、動力源３５５の使用寿命延長等の効果を向上させる。
【００１８】
前述をまとめると、本考案は、伝動装置の動力源に一つの制御装置を連結し、同時に伝動装置の伝動棒上に一つの位置制限装置を増設する。位置制限装置の出力電流異常を感知すると、制御装置は動力源を制御して運転を停止させ、更にカーテン片の横動作過程において伝動棒の持続的な伝動による雑音発生を防止する他、動力源の使用寿命を効果的に伸ばし、本考案の目的を確実に達成する。
【００１９】
但し前述したものは、只単に本考案の実施例を説明しただけであり、これによって本考案の実施範囲を限定することはできず、本実用新案登録請求の範囲及び実用新案の説明書内容に基づいて成された簡単な同等効果の変化と修飾は全て、本実用新案が含む範囲内とする。
【図面の簡単な説明】
【００２０】
【図１】公知の電動横開きカーテンの立体図である。
【図２】公知の電動横開きカーテンの組立断面図である。
【図３】スライド台の立体分解図である。
【図４】公知の電動横開きカーテンの伝動装置の断面図である。
【図５】本考案の実施例１に関する立体図である。
【図６】本考案の実施例１に関する制御装置のブロック図である。
【図７】本考案の実施例１に関する局部断面図である。
【図８】本考案の実施例２に関する組立断面図である。
【図９】本考案の実施例２に関する立体図である。
【図１０】本考案の実施例２に関する駆動軸の立体図である。
【符号の説明】
【００２１】
１  電動横開きカーテン
１１  スライドレール
１１１  内設空間
１１２  通路
１１３  サポート壁
１２  誘導部
１２１  誘導孔
１２２  誘導溝
１２３  誘導体
１２４  翼部
１３  スライドユニット
１３１  スライド台
１３２  カーテン片
１３３  台体
１３４  回転軸
１３４１  歯
１３４２  歯溝
１３４３  制止壁
１３５  駆動軸
１３５１  従動部
１３５２  主動部
１３５３  渦巻き部
１３５４  制止体
１３５５  圧止体
１３６  嵌止体
１４  連結部
１４１  凸体
１５  伝動装置
１５１  ネジ棒
１５２  伝動棒
１５３  第一歯車ユニット
１５４  第二歯車ユニット
１５５  動力源
３  位置制限式横開きカーテン
３１  スライドレール
３１１  内設空間
３１２  通路
３１３  サポート壁
３２  誘導部
３２１  誘導孔
３２２  誘導溝
３２３  誘導体
３２４  翼部
３３  スライドユニット
３３１  スライド台
３３２  カーテン片
３３３  台体
３３４  回転軸
３３４１  歯
３３４２  歯溝
３３４３  制止壁
３３５  駆動軸
３３６  嵌止体
３４  連結部
３４１  凸体
３５  伝動装置
３５１  ネジ棒
３５２  伝動棒
３５３  第一歯車ユニット
３５４  第二歯車ユニット
３５５  動力源
３６  制御装置
３６１  駆動回路
３６２  制御器
３６３  電流制限回路
３６４  探知回路
３７  位置制限装置
３７１  定位体
３７２  ロック体
３７３  スライド体
３７４  開孔
３７５  制御停止部
３７６  ネジ山
３７７  内ネジ山
３８  位置制限装置
３８１  駆動軸
３８２  渦巻き部
【図１】
0003142139.tif 000003
【図２】
0003142139.tif 000004
【図３】
0003142139.tif 000005
【図４】
0003142139.tif 000006
【図５】
0003142139.tif 000007
【図６】
0003142139.tif 000008
【図７】
0003142139.tif 000009
【図８】
0003142139.tif 000010
【図９】
0003142139.tif 000011
【図１０】
0003142139.tif 000012